(57)【要約】【課題】  ＦＰＣ等といった可撓性を備えた配線基板が曲げられるときに、その配線基板が急激に屈曲することを防止することにより、配線基板の損傷を防止する。【解決手段】  液晶パネル３を支持する第１面２ａとその反対側の面である第２面２ｂとを有するフレーム２と、一端が液晶パネル３に接続されると共にフレーム２の第２面２ｂへ向けて曲げられるＦＰＣ１８とを有する液晶表示装置１である。フレーム２は、ＦＰＣ１８の曲げられた部分の内側にＦＰＣ１８を案内するためのガイド５３を有する。このガイド５３は、ＦＰＣ１８が曲げられた部分においてＦＰＣ１８を滑らかに曲がるようにガイドすることができるので、液晶パネル３とＦＰＣ１８との接合部において、ＦＰＣ１８が急激に屈曲することがなくなる。【選択図】      図１
2006171388.tif 000002
【特許請求の範囲】
【請求項１】
電気光学パネルを支持する第１面とその反対側の面である第２面とを有するフレームと、
一端が前記電気光学パネルに接続されると共に前記フレームの第２面へ向けて曲げられる配線基板とを有し、
前記フレームは、前記配線基板の曲げられた部分の内側に該配線基板を案内するためのガイドを有する
ことを特徴とする電気光学装置。
【請求項２】
請求項１記載の電気光学装置において、前記配線基板は前記ガイドを巻き込むように曲げられることを特徴とする電気光学装置。
【請求項３】
請求項１または請求項２記載の電気光学装置において、前記ガイドの角部は湾曲形状に形成されることを特徴とする電気光学装置。
【請求項４】
請求項１から請求項３のいずれか１つに記載の電気光学装置において、前記配線基板は異方性導電膜によって前記電気光学パネルに接合され、前記異方性導電膜は前記電気光学パネルの外側へ張り出すことを特徴とする電気光学装置。
【請求項５】
請求項１から請求項４のいずれか１つに記載の電気光学装置において、前記電気光学パネルの接合部側の端部から前記配線基板の曲げられた部分の頂点までの長さをＬとすると、
Ｌ≦１ｍｍ
であることを特徴とする電気光学装置。
【請求項６】
請求項１から請求項５のいずれか１つに記載の電気光学装置において、前記配線基板の曲げられた部分の近傍にある前記フレームに、前記配線基板側に開口を有した空間を設けることを特徴とする電気光学装置。
【請求項７】
第１電気光学パネルと第２電気光学パネルとを表裏両面に互いに重ねて支持するフレームと、
一端が前記第１電気光学パネルに接続され、他端が前記第２電気光学パネルに接続され、さらに、前記第１電気光学パネルと前記第２電気光学パネルとの間で曲げられる配線基板とを有し、
前記フレームは、前記配線基板の曲げられた部分の内側に該配線基板を案内するためのガイドを有する
ことを特徴とする電気光学装置。
【請求項８】
請求項７記載の電気光学装置において、前記フレームは前記第２電気光学パネルが支持される面に当該第２電気光学パネルの位置を規制するための突出部を有し、該突出部には、前記配線基板を通すための開放部が設けられることを特徴とする電気光学装置。
【請求項９】
請求項１から請求項８のいずれか１つに記載の電気光学装置を有することを特徴とする電子機器。
【発明の詳細な説明】
【技術分野】
【０００１】
本発明は、液晶表示装置等といった電気光学装置に関する。また、本発明は、電気光学装置を用いた電子機器に関する。
【背景技術】
【０００２】
現在、携帯電話機、携帯情報端末機等といった各種の電子機器において、液晶表示装置、ＥＬ装置等といった電気光学装置が広く用いられている。例えば、電子機器に関する各種の情報を視覚的に表示するための表示部として電気光学装置が用いられている。この電気光学装置において、電気光学物質として液晶を用いた装置、すなわち液晶表示装置が知られている。また、電気光学物質としてＥＬ（Electro Luminescence）を用いたＥＬ装置も知られている。
【０００３】
液晶等といった電気光学物質は一対の基板間に封入されたり、１枚の基板上に配置され、これにより、パネル構造体である電気光学パネルが形成される。この電気光学パネルには、一般に、電気光学物質に所定の電圧を印加したり、電気光学物質へ所定の電流を供給するために、配線基板、例えばＦＰＣ（Flexible Printed Circuit）が接続されることが多い。
【０００４】
上記のＦＰＣには、電気光学パネルを駆動するために必要となる回路が形成される。この回路は、通常、ベース基板上に所定のパターンで配線を形成し、さらにＩＣ、コンデンサ、コイル、抵抗等といった回路部品をベース基板上の所定位置に実装することによって形成される。また、ＦＰＣには入力用端子が形成され、この入力用端子に外部電源や種々の外部機器が接続される。そして、電気光学パネルを駆動するための信号や電力が、ＦＰＣを通して外部機器や外部電源から供給される。
【０００５】
このようなＦＰＣを用いた電気光学装置として、従来、電気光学パネルを枠状のフレームに装着し、その電気光学パネルに接続したＦＰＣを、フレームを挟んで電気光学パネル側へ折り返した構造ものが知られている（例えば、特許文献１参照）。
【０００６】
【特許文献１】特開２００４−１５２９８４号公報（第８〜９頁、図２）
【発明の開示】
【発明が解決しようとする課題】
【０００７】
ところで、携帯電話機等といった電子機器は小型化が進んでおり、それに応じて、それらの電子機器に用いる液晶表示装置等といった電気光学装置に関してもその小型化が求められている。そのため、ＦＰＣの曲げ部が電気光学パネルの外側へ張り出す長さを短くすることにより、液晶表示装置の小型化を図っている。
【０００８】
しかしながら、上記特許文献１に開示された従来の液晶表示装置では、ＦＰＣの曲げ部が張り出す長さを小さくすると、電気光学パネルとＦＰＣとの接合部においてＦＰＣが急激に屈曲する可能性があった。こうなると、その屈曲部分でＦＰＣ上に形成された配線が断線するおそれがあった。
【０００９】
本発明は、上記の問題点に鑑みて成されたものであって、ＦＰＣ等といった可撓性を備えた配線基板の曲げ部分における急激な屈曲を防止することにより、配線基板の損傷を防止することを目的とする。
【課題を解決するための手段】
【００１０】
本発明に係る第１の電気光学装置は、電気光学パネルを支持する第１面とその反対側の面である第２面とを有するフレームと、一端が前記電気光学パネルに接続されると共に前記フレームの第２面へ向けて曲げられる配線基板とを有し、前記フレームは、前記配線基板の曲げられた部分の内側に該配線基板を案内するためのガイドを有することを特徴とする。
【００１１】
上記構成において、「電気光学パネル」は、電気的な条件を制御することにより光学的な出力状態を変化させるパネル構造体である。また、この電気光学パネルは、液晶等といった電気光学物質を含むパネル構造体であって、その電気光学物質の電気光学的な作用を利用して表示を実現するものである。例えば、電気光学物質として液晶を用いれば電気光学パネルとして液晶パネルが構成される。
【００１２】
また、配線基板は、例えば、ＦＰＣ等によって構成できる。このＦＰＣは、例えば、ポリイミドやポリエステル等から成るフィルムを基材として、その上に所望の回路を作ることによって形成される。このＦＰＣ等といった配線基板は可撓性を備えているが、曲げられた部分の半径が小さくなると電気光学パネルとの接合部において折れ曲るおそれがある。こうすると、配線基板に形成された配線が断線する等といった損傷が発生するおそれがある。
【００１３】
上記構成の電気光学装置によれば、配線基板の曲げられた部分のフレームの内側に配線基板を案内するためのガイドを設けた。このガイドは、配線基板が曲げられた部分において配線基板が滑らかに曲がるようにガイドすることができる。従って、電気光学パネルと配線基板との接合部において、配線基板が急激に屈曲することがなくなる。その結果、配線基板に形成された配線が断線する等といった配線基板の損傷が発生することを防止できる。
【００１４】
次に、本発明に係る電気光学装置は、前記配線基板は前記ガイドを巻き込むように曲げられることが望ましい。こうすれば、配線基板をフレームによって安定した状態で支持できる。また、配線基板の張り出し量を小さくできる。
【００１５】
次に、本発明に係る電気光学装置において、前記ガイドの角部は湾曲形状に形成されることが望ましい。こうすれば、ガイドの湾曲形状に沿って、配線基板を滑らかに曲げることができる。これにより、電気光学パネルと配線基板との接合部において配線基板が急激に屈曲することがなくなるので、配線基板が損傷することをより確実に防止できる。
【００１６】
次に、本発明に係る電気光学装置において、前記配線基板は異方性導電膜によって前記電気光学パネルに接合され、前記異方性導電膜は前記電気光学パネルの外側へ張り出すことが望ましい。こうすれば、電気光学パネルと配線基板とが接続する部分の強度を強くできる。しかしながら、異方性導電膜が張り出す部分においては、配線基板が特に急激に屈曲するため、配線基板上の配線が断線する等の損傷が発生し易い。これに対し、本発明の電気光学装置よれば、電気光学パネルを支持するフレームにガイドを設けたので、配線基板は異方性導電膜部では屈曲せず、ガイドの位置においてそのガイドに沿って曲がる。これにより、配線基板の損傷を防止できる。
【００１７】
また、異方性導電膜がパネルから張り出していると、配線基板が曲げられた場合であってその曲げられた状態が滑らかでないときに、異方性導電膜が電気光学パネルから剥がれて導通不良を生じるおそれがある。これに対し、配線基板の曲げられた部分の内側にガイドを設ければ、配線基板の曲げ状態が常に滑らかになり、異方性導電膜の剥がれを防止できる。
【００１８】
次に、本発明に係る電気光学装置においては、前記電気光学パネルの接合部側の端部から前記配線基板の曲げられた部分の頂点までの長さをＬとすると、
Ｌ≦１ｍｍ
であることが望ましい。こうすれば、配線基板が張り出す方向に関して、電気光学装置を小さく形成できる。しかしながら、配線基板が曲げられた部分の長さＬが短い場合、特にＬ≦１ｍｍの場合には、配線基板が小さな径に曲げられる。このため、配線基板は、接合部において急な角度に屈曲し易いので断線等の損傷が発生し易い。これに対し、上記の電気光学装置によれば、電気光学パネルを支持するフレームにガイドを設けたので、配線基板はガイドに沿って曲がることになって電気光学パネルとの接合部で屈曲することがなくなる。これにより、配線基板上の配線が断線する等の損傷が発生することを防止できる。
【００１９】
次に、本発明に係る電気光学装置においては、前記配線基板の曲げられた部分の近傍にある前記フレームに、前記配線基板側に開口を有した空間を設けることが望ましい。電気光学パネルを駆動するためには、例えば、ＩＣ、抵抗、コイル、コンデンサ等といった複数の回路部品が必要である。従来、これらの回路部品は配線基板上の特定されない任意の場所に設けられていた。しかしながら、この場合には、配線基板を曲げた際に回路部品が厚み方向に関して電気光学パネルに重なってしまうことがあり、このことを補償するためには、配線基板と電気光学パネルの間に少なくとも回路部品の高さ以上の間隙を確保しておかなければならなかった。
【００２０】
これに対し、上記の電気光学装置によれば、配線基板の曲げられた部分の近傍にあるフレームに、配線基板側に開口を有した空間を設けた。このため、配線基板上であって、配線基板を曲げた状態でフレームに設けた空間に対応した位置に複数の回路部品を配置すれば、電気光学装置の厚み方向に関して回路部品が電気光学パネルに重なることがない。このため、配線基板と電気光学パネルとが重なり合う領域に必要以上の間隙を確保する必要がなくなり、それら配線基板と電気光学パネルとの隙間を狭くできる。その結果、電気光学装置の形状を薄く形成できる。
【００２１】
次に、本発明に係る第２の電気光学装置は、第１電気光学パネルと第２電気光学パネルとを互いに重ねて支持するフレームと、一端が前記第１電気光学パネルに接続され、他端が前記第２電気光学パネルに接続され、さらに、前記第１電気光学パネルと前記第２電気光学パネルとの間で曲げられる配線基板とを有する。この電気光学装置において、前記フレームは、前記配線基板の曲げられた部分の内側に該配線基板を案内するためのガイドを有することを特徴とする。
【００２２】
上記構成の電気光学装置によれば、ガイドを設けて配線基板を案内するので、配線基板の損傷、例えば断線を防止できる。特に、配線基板は両基板に接合された後にフレームに組み付けられるので、第１電気光学パネルと第２電気光学パネルとを注意深く相対移動させないと、それらを接続する配線基板が損傷するおそれがある。これに対し、配線基板が曲げられる部分のフレームにガイドを設けた本発明の電気光学装置によれば、仮に第１電気光学パネルと第２電気光学パネルとを手荒く相対移動させた場合でも、配線基板の損傷を確実に防止できる。
【００２３】
次に、本発明に係る第２の電気光学装置においては、前記フレームは前記第２電気光学パネルが支持される面に当該第２電気光学パネルの位置を規制するための突出部を有し、該突出部には、前記配線基板を通すための開放部が設けられることが望ましい。フレームに突出部を設ければ、その突出部によって第２電気光学パネルの位置を規制できる。また、フレームは突出部以外の部分を薄く形成できるので、このフレームを用いれば電気光学装置を薄く形成できる。
【００２４】
また、配線基板を通すための開放部を突出部に設けたので、フレームに第２電気光学パネルを組み付けたとき、第２電気光学パネルに接続された配線基板が開放部を通ることにより、その配線基板を極端に曲げることなく、好ましくは真直ぐの状態で外へ延び出るように設けることができる。その結果、突出部の近傍で配線基板が急激に屈曲することがなくなるので、配線基板の損傷を防止できる。
【００２５】
次に、本発明に係る電子機器は、以上に記載された構成の電気光学装置を有することを特徴とする。本発明に係る電気光学装置では、電気光学パネルを支持するフレームにガイドを設けたことにより、配線基板の損傷、例えば断線を防止できる。この結果、この電気光学装置を用いた本発明に係る電子機器においても配線の断線等が発生せずに安定した動作を行うことができる。また、配線基板が電気光学パネルから張り出す長さを短くしたり、または配線基板が曲げられる部分の近傍にあるフレームに設けた空間に複数の回路基板を収めることにより、その電気光学装置の全体的な形状を小型にした。この結果、この電気光学装置を用いた本発明に係る電子機器もその全体形状を小型にできる。
【発明を実施するための最良の形態】
【００２６】
（電気光学装置の実施形態）
以下、本発明に係る電気光学装置をその一実施形態を挙げて説明する。なお、本発明がこの実施形態に限定されるものでないことは、もちろんである。また、これからの説明で用いる図面では、特徴となる部分を分かり易く示すために、実際の寸法比率と異なる寸法比率で構成要素を図示することがあることに注意を要する。
【００２７】
図１は、本発明に係る電気光学装置の一例である液晶表示装置を分解状態で示している。また、図２は、図１の液晶表示装置１を組み立てた状態の断面構造を示している。図１において、液晶表示装置１は、フレーム２と、そのフレーム２によって支持される電気光学パネルとしての第１液晶パネル３と、同じくフレーム２によって支持される電気光学パネルとしての第２液晶パネル４とを有する。本実施形態において、第１液晶パネル３は主たる表示を行う表示要素であり、第２液晶パネル４は補助となる表示を行う表示要素である。
【００２８】
また、第１液晶パネル３とフレーム２との間には、照明装置５が設けられる。本実施形態では、１つの照明装置５を用いて第１液晶パネル３および第２液晶パネル４の２つの液晶パネルを照明する。つまり、本実施形態で用いる照明装置５は両面発光方式の照明装置として構成されている。
【００２９】
照明装置５は、導光体６と、光源、具体的には点状光源としてのＬＥＤ（Light Emitting Diode）７と、複数の光学シートから成る第１光学シート束１１と、同じく複数の光学シートから成る第２光学シート束１２とを有する。導光体６は、例えば透光性の樹脂によって形成される。この導光体６は、矢印Ａが描かれた側の面、すなわち第１液晶パネル３に対向する面が第１光出射面６ｂであり、矢印Ｂが描かれた側の面、すなわち第２液晶パネル４に対向する面が第２光出射面６ｃである。
【００３０】
ＬＥＤ７は、複数個、本実施形態では３個設けられている。これら３個のＬＥＤ７は、例えば、可撓性の基板であるＬＥＤ基板８上に実装されている。このＬＥＤ基板８は端子８ａを有し、この端子８ａを通して各ＬＥＤ７へ電力が供給される。各ＬＥＤ７の発光面は導光体６の１つの側面である光入射面６ａに対向して設けられる。各ＬＥＤ７から出た光は、光入射面６ａから導光体６の内部へ導入され、その導光体６の第１光出射面６ｂから面状の光として出射して第１液晶パネル３へ供給される。また、導光体６の内部へ導入された光は、その導光体６の第２光出射面６ｃから面状の光として出射して第２液晶パネル４へ供給される。なお、光源は、ＬＥＤ７以外の点状光源や、冷陰極管等といった線状光源によって構成することもできる。
【００３１】
第１光学シート束１１は導光体６の第１光出射面６ｂ上に設けられる。この第１光学シート束１１は、導光体６側から順に、１つの光拡散シート１３、２枚のプリズムシート１４、他の１つの光拡散シート１３によって形成される。また、第２光学シート束１２は導光体６の第２光出射面６ｃ上に設けられる。この第２光学シート束１２は、導光体６側から順に、半透過反射シート１６、光拡散シート１３、２枚のプリズムシート１４によって形成される。なお、必要に応じてこれらの光学シート以外の必要な光学シートを用いることもできる。
【００３２】
上記の半透過反射シート１６は、一部の光を反射し、他の一部の光を透過させるという特性を有する光学要素である。この半透過反射シート１６を用いるのは、ＬＥＤ７からの光を第１液晶パネル３及び第２液晶パネル４の両方へ分けて供給するためである。
【００３３】
また、プリズムシート１４は入射光を特定の方向へ集束させるために用いられる光学要素であり、例えば、図３に示すような多数のプリズム形状を互いに平行に配列して形成される。本実施形態では、図１に示すように、２枚のプリズムシート１４ａ，１４ｂを重ねて設けている。これらは、図３に示すように、プリズム形状の配列方向が互いに直交するように配置される。これらのプリズムシート１４ａ，１４ｂを用いるのは、第１液晶パネル３及び第２液晶パネル４のそれぞれの方向へ向かう光を集束して強度を高めるためである。
【００３４】
図１において、第２光学シート束１２とフレーム２との間には遮光シート１７が設けられる。この遮光シート１７は、第２液晶パネル４の表示領域Ｖ２と略同じ大きさの開口を有した枠状に形成されている。
【００３５】
また、図２において、第１光学シート束１１と第１液晶パネル３との間には粘着シート１５ａが設けられる。この粘着シート１５ａは、図１に示すように、第１液晶パネル３の表示領域Ｖ１と略同じ大きさの開口を有した枠状に形成されている。また、この粘着シート１５ａは遮光性の材料によって形成される。フレーム２と第１液晶パネル３とは、この粘着シート１５ａによって粘着される。ここで粘着とは、人手によって容易に剥がすことができる程度の接着の意味である。こうして照明装置５と第１液晶パネル３とは、図２に示すように、フレーム２の内側に収容される。
【００３６】
第２液晶パネル４とフレーム２との間には粘着シート１５ｂが設けられる。この粘着シート１５ｂは、図１に示すように、第２液晶パネル４の表示領域Ｖ２と略同じ大きさの開口を有した枠形状に形成されている。また、この粘着シート１５ｂは遮光性の材料によって形成される。フレーム２と第２液晶パネル４とは、この粘着シート１５ｂによって粘着される。こうして第２液晶パネル４は、図２に示すように、フレーム２の内側に収容される。
【００３７】
図１において、第１液晶パネル３は、第１の透光性の基板２１と、第２の透光性の基板２２と、第１透光性基板２１の外側表面に貼着された偏光板２３ａと、第２透光性基板２２の外側表面に貼着された偏光板２３ｂとを有する。偏光板２３ａの偏光軸と偏光板２３ｂの偏光軸は適宜にずらせた状態に設定されている。なお、偏光板２３ａ，２３ｂに加えて他の光学要素、例えば位相差板等を設けても良い。
【００３８】
図２に示すように、第１透光性基板２１は、第２透光性基板２２の一方の外側へ張り出す第１張出し部２４を有する。そしてさらに、第１透光性基板２１は、第２透光性基板２２の他方の外側へ張り出す第２張出し部２５を有する。第１張出し部２４上には駆動用ＩＣ２６がＡＣＦ（Anisotropic Conductive Film：異方性導電膜）２９を用いてＣＯＧ（Chip On Glass）技術によって実装されている。
【００３９】
図１に戻って、第２液晶パネル４は、第１の透光性の基板３１と、第２の透光性の基板３２と、第１透光性基板３１の外側表面に貼着された偏光板３３ａと、第２透光性基板３２の外側表面に貼着された偏光板３３ｂとを有する。偏光板３３ａの偏光軸と偏光板３３ｂの偏光軸は適宜にずらせた状態に設定されている。なお、偏光板３３ａ，３３ｂに加えて他の光学要素、例えば位相差板等を設けても良い。第１透光性基板３１は、第２透光性基板３２の外側へ張り出す張出し部３４を有する。
【００４０】
詳しい図示は省略するが、第１透光性基板２１，３１及び第２透光性基板２２，３２のそれぞれの表面には電極が設けられ、また、それらの基板間に液晶が封入される。照明装置５から第１液晶パネル３および第２液晶パネル４へ面状の光が供給されるとき、上記一対の電極に印加する電圧を画素ごとに制御することにより、液晶を通過する光を画素ごとに変調する。
【００４１】
そして、第１液晶パネル３においては、変調光を偏光板２３ｂに通すことにより、その偏光板２３ｂの光出射側に文字、数字、図形等といった像を表示する。矢印Ａで示す方向が第１液晶パネル３の表示を観察する方向であり、偏光板２３ｂが設けられた面が表示面Ｃである。他方、第２液晶パネル４においては、上記の変調光を偏光板３３ｂに通すことにより、その偏光板３３ｂの光出射側に文字、数字、図形等といった像を表示する。矢印Ｂで示す方向が第２液晶パネルの表示を観察する方向であり、偏光板３３ｂが設けられた面が表示面Ｅである。
【００４２】
第１液晶パネル３および第２液晶パネル４には同じ表示モードの液晶パネルを用いることができる。そしてこれらは、任意の表示モードによって構成できる。例えば、液晶駆動方式でいえば、単純マトリクス方式及びアクティブマトリクス方式のいずれであっても良い。また、液晶モードの種別でいえば、ＴＮ（Twisted Nematic）、ＳＴＮ（Super Twisted Nematic）、負の誘電率異方性を持つ液晶（すなわち、垂直配向用液晶）、その他任意の液晶を用いることができる。また、採光方式でいえば、反射型、透過型又は透過及び反射兼用の半透過反射型のいずれであっても良い。
【００４３】
反射型とは、太陽光、室内光等といった外部光を第１液晶パネル３および第２液晶パネル４の内部で反射させて表示に用いる方式である。また、透過型とは、第１液晶パネル３および第２液晶パネル４を透過する光を用いて表示を行う方式である。また、半透過反射型とは、反射型表示と透過型表示の両方を選択的に行うことができる方式である。なお、本実施形態では照明装置５がバックライトとして設けられているので、採光方式としては透過型又は半透過反射型が採用されていることになる。
【００４４】
単純マトリクス方式とは、各画素に能動素子を持たず、走査電極とデータ電極との交差部が画素またはドットに対応し、駆動信号が直接に印加されるマトリクス方式である。この方式に対する液晶モードとしては、ＴＮ、ＳＴＮ、垂直配向モードが用いられる。次に、アクティブマトリクス方式とは、画素又はドットごとに能動素子が設けられ、書き込み期間では能動素子がＯＮ状態となってデータ電圧が書き込まれ、他の期間では能動素子がＯＦＦ状態になって電圧が保持されるマトリクス方式である。この方式で使用する能動素子には３端子型と２端子型がある。３端子型の能動素子には、例えば、ＴＦＴ（Thin Film Transistor）がある。また、２端子型の能動素子には、例えば、ＴＦＤ（Thin Film Diode）がある。
【００４５】
上記のような第１液晶パネル３および第２液晶パネル４において、カラー表示を行う場合には、一対の基板のうちの一方にカラーフィルタが設けられる。カラーフィルタは、特定の波長域の光を選択的に透過する複数のフィルタによって形成される。例えば、３原色であるＢ（青），Ｇ（緑），Ｒ（赤）の１色ずつを基板上の各画素に対応させて所定の配列、例えばストライプ配列、デルタ配列、モザイク配列で並べることによって形成される。
【００４６】
第１液晶パネル３および第２液晶パネル４として、ＴＦＤ素子を用いたアクティブマトリクス方式の液晶パネルを用いるものとすれば、その電気的な等価回路は図４に示す通りである。図４において、複数本の走査線４１が行方向Ｘに延びるように形成され、さらに、複数本のデータ線４２が列方向Ｙに延びるように形成されている。走査線４１は、図２の第１透光性基板２１，３１又は第２透光性基板２２，３２のうちのＴＦＤ素子が設けられない方の基板上に帯状電極として形成される。また、図４のデータ線４２は、図２の第１透光性基板２１，３１又は第２透光性基板２２、３２のうちのＴＦＤ素子が設けられる方の基板上にライン配線として形成される。
【００４７】
図４において、表示の最小単位である表示ドットＤは走査線４１とデータ線４２との各交差部分に形成される。各表示ドットＤにおいては、液晶層４３と、ＴＦＤ素子４４とが直列に接続されている。各表示ドットＤに青色（Ｂ）、緑色（Ｇ）、赤色（Ｒ）の各色フィルタのうちの１色を対応させてカラー表示を行う場合には、３色の表示ドットＤが集まって１つの画素が形成される。一方、白黒等によってモノカラー表示を行う場合には表示ドットＤの１つが１つの画素を形成する。
【００４８】
図４では、液晶層４３が走査線４１の側に接続され、ＴＦＤ素子４４がデータ線４２の側に接続されているが、接続関係をその逆にしても良い。各走査線４１は、走査線駆動回路２７によって駆動される。一方、各データ線４２は、データ線駆動回路２８によって駆動される。走査線駆動回路２７及びデータ線駆動回路２８は図２の駆動用ＩＣ２６よって構成される。駆動用ＩＣ２６は、共通のＩＣによって図４の両駆動回路２７及び２８を賄うものであっても良いし、あるいは、両駆動回路２７及び２８を個別のＩＣに割り当てても良い。
【００４９】
他方、第１液晶パネル３および第２液晶パネル４として、ＴＦＴ素子を用いたアクティブマトリクス方式の液晶パネルを用いるものとすれば、その電気的な等価回路は図５に示す通りである。図５において、複数本の走査線４１が行方向Ｘに延びるように形成されている。また、複数本のデータ線４２が列方向Ｙに延びるように形成されている。走査線４１は、図２の第１透光性基板２１，３１又は第２透光性基板２２，３２の一方に形成されたＴＦＴ素子のゲート電極につながる線として形成され、図５のデータ線４２はＴＦＴ素子のソース電極につながる線として形成される。図２の第１透光性基板２１，３１又は第２透光性基板２２，３２のうちのＴＦＴ素子が形成されない方の基板上には面状の共通電極が形成される。
【００５０】
図５において、表示ドットＤは走査線４１とデータ線４２との各交差部分に形成される。各表示ドットＤにおいては、ＴＦＴ素子４５と画素電極４６とが直列に接続されている。各走査線４１は、走査線駆動回路２７によって駆動される。一方、各データ線４２は、データ線駆動回路２８によって駆動される。走査線駆動回路２７及びデータ線駆動回路２８は図２の駆動用ＩＣ２６によって構成される。
【００５１】
走査信号は図５のＴＦＴ素子４５のゲートへ送られ、データ信号はＴＦＴ素子４５のソースへ送られる。ＴＦＴ素子４５がＯＮ状態になると、対応する画素電極４６への通電が成されて対応する表示ドットＤ内の液晶への書き込みが行われる。また、引き続いてＴＦＴ素子４５がＯＦＦ状態になると、書き込まれた状態が保持される。この一連の書き込み動作及び保持動作により、液晶分子がＴＮ構造と垂直配向との間で制御される。
【００５２】
図１に戻って、第１透光性基板２１の第１張出し部２４の辺端には、可撓性を備えた配線基板としての第１ＦＰＣ１８が接続されている。第１ＦＰＣ１８は、液晶表示装置１を組み立てる際、矢印Ｆで示すようにフレーム２の一辺を巻き込むように曲げられて第１液晶パネル３の表示面Ｃの反対側に配置される。
【００５３】
第１ＦＰＣ１８には入力用端子１８ａが形成され、この入力用端子１８ａに外部の入力用機器（例えば、携帯電話機等といった電子機器の制御回路）や外部電源等が接続される。そして、第１液晶パネル３および第２液晶パネル４を駆動するための信号や電力が、ＦＰＣ１８を通して入力用機器や外部電源から供給される。
【００５４】
第１ＦＰＣ１８は、例えば、ポリイミドやポリエステル等から成るフィルムを基材として形成される曲げ性に優れた基板である。この第１ＦＰＣ１８は、図１の矢印Ｆのように曲げられたときにフレーム２に対面する表面Ｓ１とその反対面である表面Ｓ２とを有する。表面Ｓ２は曲げられて延びる面である。一方、表面Ｓ１は曲げられて縮む面である。表面Ｓ１上には、第１液晶パネル３および第２液晶パネル４を駆動するために必要となる複数の電子部品３５ａが実装されている。この電子部品３５ａとしては、例えば、抵抗、コイル、コンデンサ、電源ＩＣ等が考えられる。また、同様に、表面Ｓ２上にも複数の電子部品３５ｂを設けることができる。
【００５５】
第１透光性基板２１の第２張出し部２５の辺端には、同じく可撓性を備えた配線基板としての第２ＦＰＣ１９が接続されている。この第２ＦＰＣ１９は、図２のように曲げられたときにフレーム２に対向する表面Ｓ３とその反対面である表面Ｓ４とを有する。表面Ｓ４は曲げられて延びる面である。一方、表面Ｓ３は曲げられて縮む面である。表面Ｓ３上には複数の配線が形成され、その配線を通して第１液晶パネル３と第２液晶パネル４とを電気的に接続している。第２ＦＰＣ１９は、液晶表示装置１を組み立てる際、フレーム２の他の一辺を巻き込むように曲げられる。そして、第２ＦＰＣ１９は第２液晶パネル４の張出し部３４の辺端に接続される。こうして、第１液晶パネル３と第２液晶パネル４とは第２ＦＰＣ１９を通して電気的に接続される。
【００５６】
図２において、第１ＦＰＣ１８と第１液晶パネル３との接続はＡＣＦ２９を用いて行われる。このＡＣＦ２９は、図７に符号Ｐで示すように、第１液晶パネル３の端面３ａから外側へ張り出している。また、図２において、第２ＦＰＣ１９と第１液晶パネル３との接続はＡＣＦ２９を用いて行われる。このＡＣＦ２９は、図８に符号Ｑで示すように、第１液晶パネル３の他の端面３ｂから外側へ張り出している。また、図２において、第２ＦＰＣ１９と第２液晶パネル４との接続はＡＣＦ２９を用いて行われる。このＡＣＦ２９は、図８に符号Ｒで示すように、第２液晶パネル４の端面４ａから外側へ張り出している。本実施形態では、液晶パネルとＦＰＣとの接合にＡＣＦ２９を用いているが、これらの接合にはＡＣＦ２９の他にヒートシール、その他適宜の導電接続手法を用いることもできる。
【００５７】
図７において、第１液晶パネル３の端部３ａから第１ＦＰＣ１８の曲げられた部分の頂点までの長さＬ１は、Ｌ１≦１ｍｍに設定されている。また、図８において、第１液晶パネル３の端部３ｂから第２ＦＰＣ１９の曲げられた部分の頂点までの長さＬ２は、Ｌ２≦１ｍｍに設定されている。このように、本実施形態では、第１ＦＰＣ１８が曲げられた部分の長さＬ１、および第２ＦＰＣ１９が曲げられた部分の長さＬ２を短くすることにより、液晶表示装置１（図１参照）全体を小型に形成している。
【００５８】
図６は、図２のように第２ＦＰＣ１９によって接続した第１液晶パネル３と第２液晶パネル４とを、展開した状態の平面構造を示している。なお、図６は、第１液晶パネル３の表示面Ｃ側および第２液晶パネル４の表示面Ｅ側から見た場合であって、第２透光性基板２２，３２の図示を省略した状態を示している。また、図６は、主に配線の構造を示しており、それ以外の要素は図示を省略している。
【００５９】
図６において、３個の駆動用ＩＣ２６のうち両端に設けた駆動用ＩＣ２６は、図４および図５に示す走査線駆動回路２７として機能する。また、中央の駆動用ＩＣ２６は図４および図５に示すデータ線駆動回路２８として機能する。
【００６０】
図６において、複数のデータ線４２は、第１透光性基板２１，３１上に全体としてストライプ状に設けられている。これらのデータ線４２は、駆動用ＩＣ２８の出力用端子、例えば出力用バンプから出て表示領域Ｖ１を横切り、さらに、第２ＦＰＣ１９を通って第２液晶パネル４の表示領域Ｖ２を横切るように延びる連続した配線である。
【００６１】
複数の走査線４１は、第２透光性基板２２，３２上に全体としてストライプ状に設けられる。これらの走査線４１は、第１透光性基板２１，３１と第２透光性基板２２，３２とを貼り合せたとき、データ線４２と直角の方向に延びている。第１液晶パネル３に形成された走査線４１は、表示領域Ｖ１の外側に形成された配線４７ａに接続されている。そして走査線４１は、この配線４７ａを介して駆動用ＩＣ２７ａの出力端子、例えば出力バンプに接続される。また、第２液晶パネル４に形成された走査線４１は、表示領域Ｖ１の外側から第２ＦＰＣ１９を通って第２液晶パネル４の表示領域Ｖ２の外側にわたって形成された配線４７ｂに接続されている。そして走査線４１は、この配線４７ｂを介して駆動用ＩＣ２７ｂの出力端子に接続される。
【００６２】
駆動用ＩＣ２８から出力されたデータ信号は、データ線４２によって駆動用ＩＣ２８から第１液晶パネル３に供給される。このデータ信号は、同じデータ線４２によって駆動用ＩＣ２８から第２液晶パネル４に供給される。駆動用ＩＣ２７ａから出力された走査信号は、配線４７ａを通して第１液晶パネル３の走査線４１へ供給される。また、駆動用ＩＣ２７ｂから出力された走査信号は、配線４７ｂを通して第２液晶パネル４の走査線４１へ供給される。このようにして、第１液晶パネル３および第２液晶パネル４には、それぞれにデータ信号および走査信号が供給され、これらのデータ信号および走査信号に基づいて表示が行われる。
【００６３】
図１において、フレーム２は、第１収容部５１と、第２収容部５２と、第１ガイド５３と、第２ガイド５４と、空間５５とを有する。第１収容部５１は、図２において矢印Ａが描かれた側であるフレーム２の第１面２ａ側に設けられる。この第１収容部５１は、フレーム２の内側に形成された空間であり、この空間内に第１液晶パネル３および照明装置５が収容される。また、第２収容部５２は、矢印Ｂが描かれた側である第２面２ｂ側に設けられる。この第２収容部５２は、フレーム２の第２面２ｂから突出した部分であり、この突出部は第２液晶パネル４の総厚と同じかまたは第２液晶パネル４の総厚より高い高さを有した枠状に形成されている。この第２収容部５２の枠の内側に第２液晶パネル４が収容される。
【００６４】
図１に示すように、第２収容部５２に第２液晶パネル４を収容した状態で、第２ＦＰＣ１９が設けられる側の第２収容部５２の一辺には、残余の突出部よりも低く、しかし第２面２ｂよりも高いか、あるいは第２面２ｂと同一面である開放部５２ａが形成されている。この開放部５２ａは、第２収容部５２を形成する枠状の突出部の一辺を切り取って開放した形状となっている。また、開放部５２ａは第２ＦＰＣ１９の幅以上の幅に形成される。また、開放部５２ａは、好ましくは図８に示すように、第２液晶パネル４を第２収容部５２に収容した際、開放部５２ａの底面５２ｂが第２ＦＰＣ１９の表面Ｓ３に接触しない高さに形成される。これにより、第２ＦＰＣ１９は、第２液晶パネル４を第２収容部５２に収容した際、開放部５２ａを通って第２収容部５２の外へ真直ぐに延び出ることができる。
【００６５】
図２において、第１ガイド５３は、フレーム２の第１収容部５１に第１液晶パネル３を収容した状態で、第１ＦＰＣ１８が設けられる側のフレーム２の端に設けられる。図１において、第１ＦＰＣ１８の曲げ方向Ｆに対して直角方向の第１ガイド５３の長さは、同じ方向の第１ＦＰＣ１８の幅よりも長く形成されている。これにより、第１ガイド５３は第１ＦＰＣ１８の全幅を受けることができるようになっている。この第１ガイド５３は、図２の紙面垂直方向の全域で同じ断面形状を成している。しかしながら、必要がある場合には、第１ガイド５３の断面形状を図２の紙面垂直方向で部分的に変化させても良い。
【００６６】
第１ガイド５３は、図７に示すように、第１ＦＰＣ１８の表面Ｓ１に接触または近接するガイド面５３ａを有する。このガイド面５３ａの両角部は、鋭角または直角でない湾曲形状に形成されている。湾曲形状としては、例えば、断面円弧状、断面楕円弧状、断面長円弧状、その他任意の曲線形状が考えられる。ガイド面５３ａは、第１ＦＰＣ１８が大きく屈曲したときはその屈曲を矯正するように第１ＦＰＣ１８に接触する。また、ガイド面５３ａは、図１の液晶表示装置１を組み立てる際、第１ＦＰＣ１８を曲げたときにその第１ＦＰＣ１８と接触できる形状となっている。また、ガイド面５３ａは、液晶表示装置１を組み立てる際に第１ＦＰＣ１８が屈曲しないように案内する。
【００６７】
図２において、第２ガイド５４は、フレーム２の第１収容部５１に第１液晶パネル３を収容した状態で、第２ＦＰＣ１９が設けられる側のフレーム２の端に設けられる。図１において、第２ＦＰＣ１９の曲げ方向に対して直角方向の第２ガイド５４の長さは、同じ方向の第２ＦＰＣ１９の幅よりも長く形成されている。これにより、第２ガイド５４は第２ＦＰＣ１９の全幅を受けることができるようになっている。この第２ガイド５４は、図２の紙面垂直方向の全域で同じ断面形状を成している。しかしながら、必要がある場合には、第２ガイド５４の断面形状を図２の紙面垂直方向で部分的に変化させても良い。
【００６８】
第２ガイド５４は、図８に示すように、第２ＦＰＣ１９の表面Ｓ３に接触または近接するガイド面５４ａを有する。このガイド面５４ａの両角部は、鋭角または直角でない湾曲形状に形成されている。湾曲形状としては、例えば、断面円弧状、断面楕円弧状、断面長円弧状、その他任意の曲線形状が考えられる。ガイド面５４ａは、第２ＦＰＣ１９が大きく屈曲したときはその屈曲を矯正するように第２ＦＰＣ１９に接触する。また、ガイド面５４ａは、図１の液晶表示装置１を組み立てる際、第２ＦＰＣ１９を曲げたときにその第２ＦＰＣ１９と接触できる形状となっている。また、ガイド面５４ａは、液晶表示装置１を組み立てる際に第２ＦＰＣ１９が屈曲しないように案内する。
【００６９】
図１の液晶表示装置１を組み立てる際には、照明装置５、第１液晶パネル３および第２液晶パネル４を、図２に示すようにフレーム２に装着する。その装着にあたっては、図１において、遮光シート１７と照明装置５を第１収容部５１に収容した上で、粘着シート１５ａによって照明装置５とフレーム２に第１液晶パネル３を粘着する。このとき、第１液晶パネル３と照明装置５とは、第１収容部５１によって図２の紙面左右方向および紙面垂直方向の位置を規制され、これにより、常にフレーム２内の一定位置に位置決めされる。
【００７０】
次に、図１において、照明装置５と第１液晶パネル３とがフレーム２に装着された後、第１外枠５６が矢印Ａ方向からフレーム２の側面へ嵌め込まれる。第１外枠５６には、第１液晶パネル３の表示面Ｃを外部へ露出させるための開口が設けられている。この第１外枠５６は、例えば、ステンレス等によって形成されている。
【００７１】
次に、第１ＦＰＣ１８が矢印Ｆで示すようにフレーム２の第１ガイド５３を巻き込むように曲げられる。このとき、第１ＦＰＣ１８は、図７のようにガイド面５３ａの湾曲形状に沿って滑らかに曲げられる。そして、曲げられた第１ＦＰＣ１８は、第１液晶パネル３の表示面Ｃの反対側、すなわちフレーム２の第２面２ｂの表面上に運ばれる。このとき、第１ＦＰＣ１８の表面Ｓ１上に設けられた複数の電子部品３５ａが空間５５の内部に収容される。
【００７２】
また、図８のように第２ＦＰＣ１９がフレーム２の第２ガイド５４を巻き込むように曲げられて、第２液晶パネル４がフレーム２の第２面２ｂの表面上に運ばれる。このとき、第２ＦＰＣ１９は、ガイド面５４ａの湾曲形状に沿って滑らかに曲げられる。そして、図１の粘着シート１５ｂによって第２液晶パネル４を第２収容部５２内部に粘着する。このとき、第２液晶パネル４は、第２収容部５２によって図２の紙面左右方向および紙面垂直方向の位置を規制され、これにより、常にフレーム２内の一定位置に位置決めされる。
【００７３】
次に、図１において、第２外枠５７が矢印Ｂ方向から第１外枠５６の側面の外側またはフレーム２の側面の外側へ嵌め込まれる。この第２外枠５７には、第２液晶パネル４の表示面Ｅを外部へ露出させるための開口が設けられている。また、第１ＦＰＣ１８の表面Ｓ２上に電子部品３５ｂを設けた場合に、それらの電子部品３５ｂが干渉しないための開口５８が設けられている。以上のようにして、図２に示す液晶表示装置１が完成する。
【００７４】
以上に説明したように、本実施形態では図２に示すように、第１ＦＰＣ１８が曲げられた部分の内側のフレーム２に、第１ＦＰＣ１８を案内するための第１ガイド５３を設けた。第１ガイド５３は、第１ＦＰＣ１８が曲げられた部分において第１ＦＰＣ１８が滑らかに曲がるようにガイドすることができる。従って、第１液晶パネル３と第１ＦＰＣ１８との接合部において、第１ＦＰＣ１８が急激に屈曲することがなくなる。その結果、第１ＦＰＣ１８に形成された配線が断線する等といった損傷が第１ＦＰＣ１８に発生することを防止できる。
【００７５】
また同じく、第２ＦＰＣ１９が曲げられた部分の内側のフレーム２に第２ＦＰＣ１９を案内するための第２ガイド５４を設けた。第２ガイド５４は、第２ＦＰＣ１９が曲げられた部分において第２ＦＰＣ１９が滑らかに曲がるようにガイドすることができる。従って、第１液晶パネル３と第２ＦＰＣ１９との接合部、および第２液晶パネル４と第２ＦＰＣ１９との接合部において、第１ＦＰＣ１８および第２ＦＰＣ１９が急激に屈曲することがなくなる。その結果、第１ＦＰＣ１８および第２ＦＰＣ１９に形成された配線が断線する等といった損傷が発生することを防止できる。
【００７６】
また、本実施形態において、第１液晶パネル３と第２液晶パネル４とは、図６に示すように第２ＦＰＣ１９によって接続された後に図２のフレーム２に装着される。そのため、第１液晶パネル３と第２液晶パネル４とを注意深く相対移動させないと、それらを接続する第２ＦＰＣ４が損傷するおそれがある。これに対し、本実施形態では、第２ＦＰＣ１９はフレーム２の第２ガイド５４によってガイドされるので、仮に第１液晶パネル３と第２液晶パネル４とを手荒く相対移動させた場合でも、第２ＦＰＣ１９の損傷を確実に防止できる。
【００７７】
また、本実施形態では、図７において、第１ガイド５３のガイド面５３ａの両角部を湾曲形状にした。こうすれば、ガイド面５３ａの湾曲形状に沿って、第１ＦＰＣ１８を滑らかに曲げることができる。これにより、第１液晶パネル３と第１ＦＰＣ１８との接合部において、第１ＦＰＣ１８が急激に屈曲することがなくなるので、第１ＦＰＣ１８が損傷することをより確実に防止できる。
【００７８】
また同じく、図８において、第２ガイド５４のガイド面５４ａ両角部を湾曲形状にした。こうすれば、ガイド面５４ａの湾曲形状に沿って、第２ＦＰＣ１９を滑らかに曲げることができる。これにより、第１液晶パネル３と第２ＦＰＣ１９との接合部、および第２液晶パネル４と第２ＦＰＣ１９との接合部において、第１ＦＰＣ１８および第２ＦＰＣ１９が急激に屈曲することがなくなるので、第２ＦＰＣ１９が損傷することをより確実に防止できる。
【００７９】
また、図２において、第１液晶パネル３と第１ＦＰＣ１８との接合、第１液晶パネル３と第２ＦＰＣ１９との接合、および第２液晶パネル４と第２ＦＰＣ１９との接合には、ＡＣＦ２９が用いられている。そして、これらのＡＣＦ２９は、いずれも、第１液晶パネル３および第２液晶パネル４から外側へ張り出している。このようにＡＣＦ２９が張り出す部分においては、第１ＦＰＣ１８および第２ＦＰＣ１９が急激に屈曲する可能性が高いため、第１ＦＰＣ１８および第２ＦＰＣ１９上に形成された配線が断線する等といった損傷が発生し易い。
【００８０】
しかしながら、本実施形態では、図２のフレーム２に第１ガイド５３および第２ガイド５４を設けたので、第１ＦＰＣ１８および第２ＦＰＣ１９はＡＣＦ２９の張出し部では屈曲せず、第１ガイド５３および第２ガイド５４の位置においてそれらのガイドに沿って曲がることができる。これにより、第１ＦＰＣ１８および第２ＦＰＣ１９の損傷を防止できる。
【００８１】
また、第１ＦＰＣ１８と第１液晶パネル３との接合部、および第２ＦＰＣ１９と第１液晶パネル３との接合部において、第１パネル３からＡＣＦ２９が張り出していると、第１ＦＰＣ１８および第２ＦＰＣ１９が曲げられた場合であってその曲げられた状態が滑らかでないときに、ＡＣＦ２９が第１液晶パネル３または第２液晶パネル４から剥がれて導通不良を生じるおそれがある。本実施形態では、図２のように、第１ＦＰＣ１８が曲げられる部分の内側に第１ガイド５３を設け、第２ＦＰＣ１９の曲げられる部分の内側に第２ガイド５４を設けてある。こうすれば、第１ＦＰＣ１８および第２ＦＰＣ１９の曲げ状態が常に滑らかになり、ＡＣＦ２９の剥がれを防止できる。
【００８２】
また、本実施形態では、図７に示すように、第１液晶パネル３の端部３ａから第１ＦＰＣ１８の曲げられた部分の頂点までの長さＬ１をＬ１≦１ｍｍとした。また、図８に示すように、第１液晶パネル３の端部３ｂから第２ＦＰＣ１９の曲げられた部分の頂点までの長さＬ２をＬ２≦１ｍｍとした。このように、第１ＦＰＣ１８が曲げられた部分の長さＬ１および第２ＦＰＣ１９が曲げられた部分の長さＬ２が短い場合、特にＬ１≦１ｍｍ，Ｌ２≦１ｍｍの場合には、第１ＦＰＣ１８および第２ＦＰＣ１９が小さな径に曲げられる。こうすると、組み立てられた液晶表示装置１（図２参照）を小型に形成することができる。しかしながら、第１ＦＰＣ１８および第２ＦＰＣ１９は、それぞれの接合部において急な角度に屈曲し易いので断線等の損傷が発生し易い。
【００８３】
本実施形態では、図７に示すようにフレーム２に第１ガイド５３を設けた。こうすれば、第１ＦＰＣ１８は接合部では屈曲せずに第１ガイド５３に沿って曲がる。これにより、第１ＦＰＣ１８上の配線が断線する等の損傷が発生することを防止できる。また、図８に示すようにフレーム２に第２ガイド５４を設けた。こうすれば、第２ＦＰＣ１９は接合部では屈曲せずに第２ガイド５４に沿って曲がる。これにより、第２ＦＰＣ１９上の配線が断線する等の損傷が発生することを防止できる。
【００８４】
また、本実施形態では、図２に示すようにフレーム２の第２面２ｂから突出した第２収容部５２を設けた。この第２収容部５２によって第２液晶パネル４の位置を規制できる。また、フレーム２は突出した第２収容部５２以外の部分を薄く形成できるので、このフレーム２を用いれば液晶表示装置１を薄く形成できる。
【００８５】
また、図８に示すように、第２収容部５２に第２液晶パネル４を収容した状態において第２ＦＰＣ１９が位置する側の第２収容部５２の一辺には、第２ＦＰＣ１９を通すための開放部５２ａを設けた。こうすれば、フレーム２に第２液晶パネル４を収容したとき、第２液晶パネル４に接続された第２ＦＰＣ１９が開放部５２ａを通ることにより、その第２ＦＰＣ１９を極端に曲げることなく、好ましくは真直ぐ外へ延び出るように設けることができる。その結果、第２収容部５２の枠の近傍で第２ＦＰＣ１９が急激に屈曲することがなくなるので、第２ＦＰＣ１９の損傷を防止できる。
【００８６】
（変形例）
上記の実施形態では、図１において、主たる表示を行う第１液晶パネル３と、補助となる表示を行う第２液晶パネル４の２個の液晶パネルを用いた構造の液晶表示装置１について説明した。しかしながら、本発明は、１個の液晶パネルを用いた液晶表示装置にも適応できる。
【００８７】
また、本発明は、液晶表示装置以外の電気光学装置、例えば、有機ＥＬ装置、無機ＥＬ装置、プラズマディスプレイ装置（ＰＤＰ：Plasma Display）、電気泳動ディスプレイ（ＥＰＤ：Electrophoretic Display）、フィールドエミッションディスプレイ装置（ＦＥＤ：Field Emission Display：電界放出表示装置）にも適用できる。
【００８８】
（電子機器の実施形態）
以下、本発明に係る電子機器を実施形態を挙げて説明する。なお、この実施形態は本発明の一例を示すものであり、本発明はこの実施形態に限定されるものではない。
【００８９】
図９は、本発明に係る電子機器の一実施形態をブロック図で示している。また、図１０は、図９のブロック図で示す電子機器の一例である折り畳み式携帯電話機を示している。図９に示す電子機器は、液晶表示装置７１と、これを制御する制御回路７０とを有する。制御回路７０は、表示情報出力源７８、表示情報処理回路７５、電源回路７６及びタイミングジェネレータ７７を有する。そして、液晶表示装置７１は第１液晶パネル７２ａ、第２液晶パネル７２ｂ及び駆動回路７３を有する。
【００９０】
表示情報出力源７８は、ＲＯＭ(Read Only Memory)やＲＡＭ(Random Access Memory)等といったメモリや、各種ディスク等といったストレージユニットや、ディジタル画像信号を同調出力する同調回路等を備え、タイミングジェネレータ７７により生成される各種のクロック信号に基づいて、所定フォーマットの画像信号等といった表示情報を表示情報処理回路７５に供給する。
【００９１】
次に、表示情報処理回路７５は、増幅・反転回路や、ローテーション回路や、ガンマ補正回路や、クランプ回路等といった周知の各種回路を備え、入力した表示情報の処理を実行して、画像信号をクロック信号ＣＬＫと共に駆動回路７３へ供給する。ここで、駆動回路７３は、走査線駆動回路やデータ線駆動回路と共に、検査回路等を総称したものである。また、電源回路７６は、上記の各構成要素に所定の電源電圧を供給する。
【００９２】
図９のブロック図に示した電子機器は、例えば、図１０（ａ）および図１０（ｂ）に示した折り畳み式の携帯電話機８０として構成される。この携帯電話機８０では、第１液晶パネル７２ａおよび第２液晶パネル７２ｂを備えた表示体８３がヒンジ部８５を介して操作本体８４に開閉可能に連結されている。第１液晶パネル７２ａは、表示体８３を開いたときに表示を行うメイン表示部８６として、表示体８３の内側に設けられる。一方、第２液晶パネル７２ｂは、表示体８３を操作本体８４に折り重ねたときに表示を行うサブ表示部８７として、表示体８３の外側に設けられる。
【００９３】
ここで、メイン表示部８６およびサブ表示部８７のいずれで表示を行うかは、携帯電話機８０の折り畳み操作で切替えられる。このため、図９に示すように、この電子機器には、携帯電話機８０の折り畳み操作を検出する開閉検出回路７４が含まれる。この開閉検出回路７４はその検出結果を液晶表示装置７１に出力するようになっている。
【００９４】
図９の液晶表示装置７１は、例えば、図１に示した液晶表示装置１を用いて構成できる。液晶表示装置１においては、第１液晶パネル３および第２液晶パネル４を支持するフレーム２に第１ガイド５３および第２ガイド５４を設けた。これにより、第１ＦＰＣ１８および第２ＦＰＣ１９の損傷、例えば断線を防止できる。この結果、この液晶表示装置１を用いた図１０の携帯電話機８０においても配線の断線等が発生せずに安定した動作を行うことができる。
【００９５】
また、図２の第１ＦＰＣ１８が第１液晶パネル３から張り出す長さＬ１、および第２ＦＰＣ１９が第１液晶パネル３から張り出す長さＬ２を短くしたり、または第１ＦＰＣ１８が曲げられる部分の近傍にあるフレーム２に設けた空間５５に複数の電子部品３５ａを収めることにより、液晶表示装置１の全体的な形状を小型にした。この結果、この液晶表示装置１を用いた図１０の携帯電話機８０もその全体形状を小型にできる。
【００９６】
（変形例）
なお、電子機器としては、以上に説明した携帯電話機等の他にも、パーソナルコンピュータ、液晶テレビ、ビューファインダ型又はモニタ直視型のビデオテープレコーダ、カーナビゲーション装置、ページャ、電子手帳、電卓、ワードプロセッサ、ワークステーション、テレビ電話機、ＰＯＳ端末器等が挙げられる。
【図面の簡単な説明】
【００９７】
【図１】本発明に係る電気光学装置の一実施形態である液晶表示装置を分解状態で示す斜視図である。
【図２】図１に示す液晶表示装置の断面構造を示す断面図である。
【図３】光学シートの一例を示す斜視図である。
【図４】図１の液晶表示装置の電気的な等価回路の一例を示す回路図である。
【図５】図１の液晶表示装置の電気的な等価回路の他の一例を示す回路図である。
【図６】図２の液晶表示装置の主要部を展開状態で示す平面図である。
【図７】図２の液晶表示装置の主要部を拡大して示す断面図である。
【図８】図２の液晶表示装置の他の主要部を拡大して示す断面図である。
【図９】本発明に係る電子機器の一実施形態を示すブロック図である。
【図１０】図９に示す電子機器の外観を示す図であって、（ａ）は電子機器が閉じた状態、（ｂ）は電子機器が開いた状態を示している。
【符号の説明】
【００９８】
１．液晶表示装置（電気光学装置）、  ２．フレーム、  ２ａ．第１面、  
２ｂ．第２面、  ３．第１液晶パネル（第１電気光学パネル）、  
４．第２液晶パネル（第２電気光学パネル）、  ５．照明装置、  ６．導光体、  
６ａ．光入射面、  ６ｂ．第１光出射面、  ６ｃ．第２光出射面、  ７．ＬＥＤ、
８．ＬＥＤ基板、  ８ａ．端子、  １１．第１光学シート束、  
１２．第２光学シート束、  １３．光拡散シート、  １４．プリズムシート、  
１５ａ，１５ｂ．粘着シート、  １６．半透過反射シート、  １７．遮光シート、
１８．第１ＦＰＣ（配線基板）、  １８ａ．入力用端子、  
１９．第２ＦＰＣ（配線基板）、  ２１，３１．第１透光性基板、
２２、３２．第２透光性基板、  ２３ａ，２３ｂ，３３ａ，３３ｂ．偏光板、  
２４．第１張出し部、  ２５．第２張出し部、  ２６．駆動用ＩＣ、  
２９．ＡＣＦ、  ３４．張出し部、  ４１．走査線、  ４２．データ線、  
４３．液晶層、  ４４．ＴＦＤ素子、  ４５．ＴＦＴ素子、  ４６．画素電極、  
４７ａ，４７ｂ．配線、  ５１．第１収容部、  ５２．第２収容部、  
５３．第１ガイド、  ５４．第２ガイド、  ５３ａ，５４ａ．ガイド面、  ５５．空間、  ５６．第１外枠、  ５７．第２外枠、  ５８．開口、７０．制御回路、  
７１．液晶表示装置（電気光学装置）、  
７２ａ．第１液晶パネル（第１電気光学パネル）、  
７２ｂ．第２液晶パネル（第２電気光学パネル）、  ７３．駆動回路、
８０．携帯電話機（電子機器）、  ８３．表示体部、  ８４．操作体部、
８５．ヒンジ部、  ８６．メイン表示部、  ８７．サブ表示部、
Ｄ．表示ドット領域、  Ｓ１．表側面、  Ｓ２．裏側面、  
Ｌ１，Ｌ２．曲げ部の張り出し長さ
【図１】
2006171388.tif 000003
【図２】
2006171388.tif 000004
【図３】
2006171388.tif 000005
【図４】
2006171388.tif 000006
【図５】
2006171388.tif 000007
【図６】
2006171388.tif 000008
【図７】
2006171388.tif 000009
【図８】
2006171388.tif 000010
【図９】
2006171388.tif 000011
【図１０】
2006171388.tif 000012